(57)【要約】【課題】形象玩具であるにもかかわらず、玩具体を構成する構成部品の一部が文具で構成され、全体としては文具としてよりも玩具としての印象が強く、従来の文具玩具一体型のものとは差別化を図ることができる形象玩具を提供すること。【解決手段】形象玩具は玩具本体１と、該玩具本体１に回動可能に取着された構成部品とから構成され、上記構成部品の少なくとも１つは文具Ａと一体又は文具Ａが着脱できるようにするとともに、上記形象玩具をロボットを模して形成し、上記玩具本体１をロボットの胴体部で構成し、上記構成部品をロボットの頭部２、腕部３、４及び脚部５、６で構成した。【選択図】図１
2006174993.tif 000002
【特許請求の範囲】
【請求項１】
玩具本体と、該玩具本体に回動可能に取着された構成部品とから構成され、該構成部品の少なくとも１つを文具と一体又は文具を着脱可能に形成したことを特徴とする形象玩具。
【請求項２】
前記形象玩具はロボットを模して形成されるとともに、前記玩具本体をロボットの胴体部で構成し、前記構成部品をロボットの頭部、腕部及び脚部で構成した、請求項１記載の形象玩具
【発明の詳細な説明】
【技術分野】
【０００１】
本発明は、形象玩具、詳しくは玩具を構成する構成部品の少なくとも１つが文具で構成されている形象玩具に関するものである。
【背景技術】
【０００２】
従来から、文具と玩具とを一体化したものが提案され、実用化されている（例えば、特許文献１）。この文具は、ボールペンやシャープペンシルなどの筆記具の後端に玩具を設け、ペン先を出没させるときに玩具が作動するようにしたものである。
【特許文献１】登録実用新案第３０１１３４０号公報
【発明の開示】
【発明が解決しようとする課題】
【０００３】
本発明が解決しようとする問題点は、筆記具が単に筆記するための機能に加え筆記具に設けた玩具が作動するようにし、単に筆記だけではなく玩具としても楽しむことができるようにしたものであるが、あくまで筆記具に玩具を設けたものであり全体の形状としては筆記具としての形状であり、玩具と筆記具とを合体させただけのものであった。
【０００４】
本発明は、上記問題点を解決し、形象玩具であるにもかかわらず、玩具体を構成する構成部品の一部が文具で構成され、全体としては文具としてよりも玩具としての印象が強く、従来の文具玩具一体型のものとは差別化を図ることができる形象玩具を提供することを課題とする。
【課題を解決するための手段】
【０００５】
前記課題を解決するために本発明に係る形象玩具は、玩具本体と、該玩具本体に回動可能に取着された構成部品とから構成され、該構成部品の少なくとも１つを文具と一体又は文具を着脱可能に形成したことを特徴とする。
【０００６】
なお、前記形象玩具はロボットを模して形成されるとともに、前記玩具本体をロボットの胴体部で構成し、前記構成部品をロボットの頭部、腕部及び足部で構成することが好ましい。
【発明の効果】
【０００７】
請求項１の発明によれば、全体の外観としては形象玩具でありながら、玩具本体を構成する部品を文具で構成することにより、形象玩具として見て楽しむだけではなく構成部品を文具としても利用することができ、構成部品が文具と一体であれば、玩具を文具として使用でき、文具を着脱できるようにすれば、形象玩具で文具の管理ができ、文具を探す手間を省くことができるので、遊び心と実用性とを備えた形象玩具を提供することができる。
【０００８】
請求項２の発明によれば、形象玩具をロボットを模して形成することにより、机の上のアクセサリーとしても楽しめるし、必要なときには文具を使用することができ構成部品自体が文具であれば、玩具本体を文具として利用することができ、実用性をそなえた形象玩具を実現することができる。
【発明を実施するための最良の形態】
【０００９】
玩具本体を腕部や脚部などの複数の構成部品から構成し、この構成部品の少なくとも１つを文具で構成するとともに、この文具は上記構成部品と一体又は着脱可能にした。
【実施例１】
【００１０】
図１は、本発明に係る形象玩具を示し、この形象玩具はロボットを模して形成され、胴体部からなる玩具本体１と、この玩具本体１に取着されている形象玩具の構成部品である頭部２、腕部３、４及び、脚部５、６から構成されているものである。
【００１１】
この形象玩具は、両足７、８が文具Ａであるクリップで構成され、左の腕部３が文具Ａである消しゴムのホルダー、右の腕部４が文具Ａである鉛筆１１のホルダーで構成されているものであり、頭部２は文具Ａである消しゴム１２のホルダーを構成しているものである。
【００１２】
頭部２は中空で後頭部が開口しており、この開口部から頭部２内に消しゴム１２の前部が着脱自在に挿入されているもので、この消しゴム１２の後部は頭部２の後頭部を模して形成されており、消しゴム１２の使用時には頭部２から外して使用できるようになっている。
【００１３】
足部７、８は紙などを挟むクリップで構成され、胴体部１に回動可能に連結された脚部５ａ、６ａに回動可能に連結されている。
【００１４】
左の腕部３は胴体部１に回動可能に連結された上腕部３ａと、この上腕部３ａに回動可能に連結されたホルダー３ｂとで構成され、このホルダーの先端には嵌合凹部が形成され、この嵌合凹部には消しゴム１０の一端が嵌め込まれている。この消しゴムは楯をイメージしたもので、あたかもロボットが武器である楯を保持して立っている状態を表現している。
【００１５】
そして、消しゴム１０を使用する際は、図１（ｂ）に示すように、ホルダー３ｂから外して使用し、使い終わったら再びホルダー３ｂに保持させれば消しゴム１０を紛失するようなことがない。
【００１６】
右の腕部４は胴体部１に回動可能に連結された上腕部４ａと、この上腕部４ａに回動可能に連結されたホルダー４ｂとで構成され、このホルダー４ｂの先端には嵌合凹部が形成され、この嵌合凹部には鉛筆１１の一端が嵌め込まれ、鉛筆を使用する際は、図１（ａ）に示すように、ホルダー４ｂから外して使用、使い終わったら再びホルダー４ｂに保持させれば鉛筆１１を紛失するようなことも、探すようなこともない。
【００１７】
なお、この鉛筆１１の先端には鉛筆キャップ１３が着脱可能に取り付けられ、この鉛筆キャップ１５はロケットを模して形成され、あたかもロボットが武器であるロケットを保持して立っている状態を表現している。
【００１８】
上記構成の形象玩具によれば、消しゴム１０を使用したいときには左の腕部３から、消しゴム１２を使用したいときには、頭部２から夫々消しゴムを取り外して使用すればよいし、鉛筆１１を使用したいときには右の腕部４から鉛筆を取り外し、鉛筆キャップ１３を外して使用すればよい。
【００１９】
さらに、メモ用紙を紛失しないように左右の足部７、８のいずれかに挟めば、あたかもロボットがメモ用紙を足で押さえつけたように見え、しかも紛失することがない。
【００２０】
上述のように、形象玩具の構成部品を文具Ａそのもの、若しくは文具Ａを保持するホルダーで構成したので、形象玩具で遊ぶだけではなく、構成部品を文具Ａとしても使用することができ、遊びと実用とを両立した玩具を実現することができる。
【００２１】
また、図２は形象玩具の他の例を示し、この形象玩具は左の腕部３に文具Ａである定規１５を、右の腕部４に文具Ａである大型のクリップ１６を備えたもので、左の腕部３は胴体部１に回動可能に連結された上腕部３ａと、この上腕部３ａに回動可能に連結されたホルダー３ｂとで構成され、このホルダー３ｂは先端が二股に分かれ、定規１５の一端を挟持するようになっているもので、定規１５を使用する際は、図２（ｂ）に示すように、ホルダー３ｂから定規１５を引き抜いて使用することができるようになっている。
【００２２】
一方、右の腕部４は胴体部１に回動可能に連結された上腕部４ａと、この上腕部４ａの先端に回動可能に連結されたクリップ部材１６とで構成され、クリップ部材１６の先端を開いてメモ用紙などの紙片１７を挟んだときにはあたかもロボットがメモ用紙１７を手で掴んでいるような状態を作り出すことができる。
【００２３】
上述したように、胴体部１に対し構成部品である腕部３、４、脚部５、６を自由に回動させ、任意の姿勢を作り出し、机の上や本棚の置物として飾ることができるとともに、構成部品が備えている文具Ａを実際に使用することができるので、机の上のアクセサリーとしてだけではなく、実用性をそなえた形象玩具を実現することができる。
【図面の簡単な説明】
【００２４】
【図１】（ａ）〜（ｃ）は本発明に係る形象玩具の一例を示す正面図、文具を外した状態を説明する右側面図及び、要部を切断した左側面図
【図２】（ａ）〜（ｃ）は本発明に係る形象玩具の他の例を示す正面図、文具の使用状態を説明する右側面図及び、文具を外した状態を説明する左側面図
【符号の説明】
【００２５】
１    玩具本体
２    頭部
３    腕部
４    腕部
５    脚部
６    脚部
Ａ    文具
【図１】
2006174993.tif 000003
【図２】
2006174993.tif 000004